(57)【要約】      （修正有）【課題】マクロＢＳがＡＢＳを送信する際、ピコＵＥのより高いデータ転送率を達成する。【解決手段】基地局は、ユーザ機器の周辺基地局の受信基準信号強度に対する無線資源管理測定値をユーザ機器から受信するインターフェースと、他の基地局からオールモースト・ブランク・サブフレームおよびそれに対応するセル固有基準信号（ＣＲＳ）資源要素（ＲＥ）ロケーション情報を受信するＸ２インターフェースと、他の基地局から生じるＣＲＳ干渉を最も受けるとともにビットレベル・ミューティングを施すべきＰＤＳＣＨ資源要素（ＲＥ）を特定し、通常のＲＥに割り付けられるビット数よりも少ないビット数を特定されたＲＥに割り付けることを含めて、ビットレベルＰＤＳＣＨ（物理ダウンリンク共有チャネル）ミューティング情報を管理し、様々なＰＤＳＣＨ  ＲＥに対する２レベルのビット割付けに関するデータをユーザ機器に転送するコントローラとを備える。【選択図】図１
2013255230.tif 000002
【特許請求の範囲】
【請求項１】
ユーザ機器の周辺エリアにある１つまたは複数の他の基地局における各基地局の受信基準信号（ＲＳ）強度に対する無線資源管理（ＲＲＭ）測定を前記ユーザ機器から受信するインターフェースと、
前記１つまたは複数の他の基地局から、オールモースト・ブランク・サブフレームおよびそれに対応するセル固有基準信号（ＣＲＳ）資源要素（ＲＥ）ロケーションの送信情報を受信するＸ２インターフェースと、
受信した前記オールモースト・ブランク・サブフレームおよび前記対応するＣＲＳ  ＲＥロケーションとＲＲＭ測定報告を介して受信した干渉情報とに基づいて、他の基地局から生じるＣＲＳ干渉を最も受けるとともにビットレベル・ミューティングを施すべきＰＤＳＣＨ（物理ダウンリンク共有チャネル）資源要素（ＲＥ）を特定し、基礎的な変調次数と同じである通常のＲＥに割り付けられるビット数よりも少ないビット数を特定されたＲＥに割り付けることを含めて、ビットレベルＰＤＳＣＨミューティング情報を管理し、かつ様々なＰＤＳＣＨ  ＲＥに対する２レベルのビット割付けに関するデータを前記ユーザ機器に転送するコントローラとを備える基地局。
【請求項２】
前記コントローラが、前記受信したオールモースト・ブランク・サブフレームおよび前記対応するＣＲＳ  ＲＥロケーションとＲＲＭ測定報告を介して受信した前記干渉情報とに基づいて、前記１つまたは複数の他の基地局からの強いＣＲＳ干渉を受ける前記ＲＥを特定することで、ビットレベル・ミューティングを施すべき前記ＲＥを特定するように構成される、請求項１に記載の基地局。
【請求項３】
前記インターフェースが、前記ビットレベルＰＤＳＣＨミューティング情報を前記ユーザ機器に転送するように構成される、請求項１に記載の基地局。
【請求項４】
前記コントローラが、特定されたＲＥそれぞれに対するＫビットのビットマップに従って、通常のＲＥに割り付けられるビット数よりも少ないビット数を前記特定されたＲＥに割り付けるように構成され、
前記コントローラが、特定されたＲＥそれぞれのミュートすべき１つまたは複数のビット位置を特定する前記Ｋビットのビットマップを決定するように構成され、特定されたＲＥに割り付けられるビット数が、前記特定されたＲＥのミュートすべきビット位置の数に等しい差分だけ、通常のＲＥに割り付けられるビット数よりも少ない、請求項１に記載の基地局。
【請求項５】
前記コントローラが、前記特定されたＲＥの前記ビットレベル・ミューティングに関するデータを前記ユーザ機器に転送する前に、特定されたＲＥそれぞれの前記ミュートされたビット位置にダミー・ビットを割り当てるように構成される、請求項４に記載の基地局。
【請求項６】
前記コントローラが、前記ミュートされたビット位置にダミー・ビットを割り当てる前に、前記ＲＥの前記ビットを含むビット列に対して符号化およびレート・マッチングを行うように構成され、
前記コントローラが、前記ミュートされたビット位置に前記ダミー・ビットを割り当てた後、かつ前記特定されたＲＥの前記ビットレベル・ミューティングに関するデータを前記ユーザ機器に転送する前に、ＰＤＳＣＨ  ＲＥがそれぞれ１つの変調シンボルに適応するように、前記ビット列に対して変調およびＰＤＳＣＨ資源マッピングを行うように構成される、請求項５に記載の基地局。
【請求項７】
ユーザ機器の周辺エリアにある１つまたは複数の他の基地局における各基地局の受信基準信号（ＲＳ）強度に対するＲＲＭ測定を行う無線資源管理（ＲＲＭ）モジュールと、
前記１つまたは複数の他の基地局からの複数の資源要素（ＲＥ）を有するオールモースト・ブランク・サブフレームおよびセル固有基準信号（ＣＲＳ）資源要素（ＲＥ）ロケーションと前記ユーザ機器からの前記ＲＲＭ測定とに基づいて、ビットレベル・ミューティングを施すべき前記ＲＥを特定し、ミュートすべきでない通常のＲＥに割り付けられるビット数よりも少ないビット数を特定された前記ＲＥに割り付ける、ビットレベルＰＤＳＣＨ（物理ダウンリンク共有チャネル）ミューティングに関するデータを前記基地局から受信し、かつ前記特定されたＲＥの前記ビットレベル・ミューティングに関するデータをインターフェースを介して前記ユーザ機器に転送するインターフェースとを備えるユーザ機器。
【請求項８】
ビットレベル・ミューティングを施すべき前記特定されたＲＥが、受信した前記オールモースト・ブランク・サブフレームおよびＣＲＳ  ＲＥロケーションと前記ＲＲＭ測定とに基づいて、前記１つまたは複数の基地局からの強いＣＲＳ干渉を受けるＲＥである、請求項７に記載のユーザ機器。
【請求項９】
前記インターフェースが、ビットレベル・ミューティングを施すべき前記特定されたＲＥと、ミュートすべきでない通常のＲＥに割り付けられるビット数よりも少ない、前記特定されたＲＥに対するビット数の割付けとを含むビットレベルＰＤＳＣＨミューティング情報を、前記基地局から受信するように構成される、請求項７に記載のユーザ機器。
【請求項１０】
前記ビットレベルＰＤＳＣＨミューティング情報が、通常のＲＥに割り付けられるビット数よりも少ないビット数を前記特定されたＲＥに割り付けるのに使用される、特定されたＲＥそれぞれに対するＫビットのビットマップを含み、
前記Ｋビットのビットマップが、特定されたＲＥそれぞれのミュートすべき１つまたは複数のビット位置を特定し、特定されたＲＥに割り付けられるビット数が、前記特定されたＲＥのミュートすべきビット位置の数に等しい差分だけ、通常のＲＥに割り付けられるビット数よりも少ない、請求項９に記載のユーザ機器。
【請求項１１】
前記基地局から前記インターフェースを介して前記ユーザ機器が受信する、前記特定されたＲＥの前記ビットレベル・ミューティングに関するデータにおいて、特定されたＲＥそれぞれの前記ミュートされたビット位置に前記ダミー・ビットが追加され、
前記ユーザ機器が、前記基地局から受信した前記ビットレベルＰＤＳＣＨミューティング情報に基づいて、前記ダミー・ビットを削除するベースバンド・プロセッサを備える、請求項９に記載のユーザ機器。
【請求項１２】
受信した前記データが、１つの変調シンボルにそれぞれ適応するＰＤＳＣＨ  ＲＥを含み、
前記ベースバンド・プロセッサが、前記ダミー・ビットを削除する前に、受信した前記ＰＤＳＣＨ  ＲＥを変調シンボル・ストリームにデマッピングし、前記変調シンボル・ストリームをビット列に復調するように構成され、
前記ベースバンド・プロセッサが、前記ダミー・ビットを前記ビット列から削除した後に、前記ビット列に対してレート・デマッチングおよび復号化を行うように構成される、請求項１１に記載のユーザ機器。
【請求項１３】
ユーザ機器の周辺エリアにある１つまたは複数の他の基地局における各基地局の受信基準信号（ＲＳ）強度に対するＲＲＭ測定を行う無線資源管理（ＲＲＭ）モジュールと、
前記基地局からデータを受信し、複数の資源要素（ＲＥ）を有するオールモースト・ブランク・サブフレームおよびセル固有基準信号（ＣＲＳ）資源要素を前記１つまたは複数の他の基地局から受信するインターフェースと、
受信した前記オールモースト・ブランク・サブフレームおよびそれに対応するＣＲＳ  ＲＥロケーションと前記ＲＲＭ測定中に得られた干渉情報とに基づいて、前記特定されたＰＤＳＣＨ  ＲＥの一部のビットに対応する対数尤度比（ＬＬＲ）がパンクチャまたは破棄されるビットレベル・パンクチャリングを施すべきである、受信した前記データ中の前記ＰＤＳＣＨ  ＲＥを特定するビットレベルＰＤＳＣＨ（物理ダウンリンク共有チャネル）パンクチャリング・モジュールとを備えるユーザ機器。
【請求項１４】
ビットレベル・パンクチャリングを施すべき前記特定されたＲＥが、前記受信したオールモースト・ブランク・サブフレームおよびＣＲＳ  ＲＥロケーションと前記ＲＲＭ測定とに基づいて、前記１つまたは複数の他の基地局からの強いＣＲＳ干渉を受けるＰＤＳＣＨ  ＲＥである、請求項１３に記載のユーザ機器。
【請求項１５】
前記ビットレベルＰＤＳＣＨパンクチャリング・モジュールが、通常のＲＥに割り付けられるビット数よりも少ないビット数を前記特定されたＲＥに割り付けるのに使用される、特定されたＲＥそれぞれに対するＫビットのビットマップを含むビットレベルＰＤＳＣＨパンクチャリング情報を管理し、
前記Ｋビットのビットマップが、特定されたＲＥそれぞれのパンクチャすべき１つまたは複数のビット位置を特定し、特定されたＲＥに割り付けられるビット数が、前記特定されたＲＥのパンクチャすべきビット位置の数に等しい差分だけ、通常のＲＥに割り付けられるビット数よりも少ない、請求項１３に記載のユーザ機器。
【請求項１６】
前記基地局から受信した前記データにおいて、特定されたＲＥそれぞれのパンクチャされた前記ビット位置でパンクチャされたビットを削除するベースバンド・プロセッサをさらに備える、請求項１５に記載のユーザ機器。
【請求項１７】
前記受信したデータが１つの変調シンボルにそれぞれ適応するＰＤＳＣＨ  ＲＥを含み、
前記ベースバンド・プロセッサが、前記パンクチャされたビットを削除する前に、前記受信したＰＤＳＣＨ  ＲＥを変調シンボル・ストリームにデマッピングし、前記変調シンボル・ストリームをビット列に復調するように構成され、
前記ベースバンド・プロセッサが、前記パンクチャされたビットを前記ビット列から削除した後に、前記ビット列に対してレート・デマッチングおよび復号化を行うように構成される、請求項１６に記載のユーザ機器。
【請求項１８】
前記特定されたＲＥがすべて同数のパンクチャすべきビットを有し、
前記ベースバンド・プロセッサが、パンクチャされた同数のビットを前記特定されたＲＥから削除するように構成される、請求項１６に記載のユーザ機器。
【請求項１９】
前記特定されたＲＥが異なる数のパンクチャすべきビットを有し、
前記ベースバンド・プロセッサが、パンクチャされた異なる数のビットを前記特定されたＲＥから削除するように構成される、請求項１６に記載のユーザ機器。
【発明の詳細な説明】
【技術分野】
【０００１】
本発明は、全体として、通信システムに関し、より具体的には、ＬＴＥ−Ａ（ロング・ターム・エボリューション・アドバンスト）異種ネットワークにおけるビットレベルＰＤＳＣＨ（物理ダウンリンク共有チャネル）ミューティングおよび／または受信機パンクチャリングのための方法ならびに装置に関する。
【背景技術】
【０００２】
次世代のセルラーシステム、即ちＬＴＥ−Ａネットワークは、基地局（ＢＳ）の多様な集合を異種混合で配備することによってセルサイズを低減することにより、単位面積当たりのスペクトル効率を改善するように設計されている。異種セルラーネットワークでは、マクロＢＳは、高い送信電力（標準値は４６ｄＢｍ）で規則的かつ計画的な方式で配備され、オーバーレイさせたピコＢＳは、比較的低い送信電力（標準値は３０ｄＢｍ）で狭いカバレッジエリア（例えば、マクロセルの端部）に配備される。かかるオーバーレイさせたＢＳの配備は、カバレッジを改善するとともに、スペクトルの空間再利用を増大させることによって容量利得をもたらすことができる。
【発明の概要】
【発明が解決しようとする課題】
【０００３】
ＬＴＥ−Ａ異種ネットワークのダウンリンクについて考察する。ピコユーザ端末またはＵＥ（即ち、ピコセルに関連するＵＥ）は、マクロＢＳの送信電力が高いことにより、隣接するマクロＢＳから強い干渉を受ける。ピコＵＥ、特にセル端にあるもののスループット性能を改善するため、マクロＢＳとピコＵＥとの間の干渉に対処する知的セル間干渉制御（ＩＣＩＣ）が必要とされている。ＬＴＥ−Ａ  Ｒｅｌ−１０のＩＣＩＣでは、ピコＵＥへの干渉を低減するため、マクロＢＳは、オールモースト・ブランク・サブフレーム（ＡＢＳ）と呼ばれる特定のサブフレームをミュートすることができる。ＡＢＳでは、ほとんどの資源要素（ＲＥ）がブランクであり、少量のＲＥのみが何らかのシステム情報（例えば、セル固有の基準信号（ＲＳ）および同期信号）を保有する。そのため、干渉レベルが低減されることにより、ピコＵＥは、マクロＢＳがＡＢＳを送信する際のより高いデータ転送率を達成することができる。
【課題を解決するための手段】
【０００４】
本発明の実施形態は、ピコＵＥの中でも特にセル端にあるものが隣接するマクロＢＳによる強い干渉を受けるマクロ・ピコ配備において、ピコＵＥが隣接するマクロＢＳによる干渉を排除するための、新たな送信および新たな受信のスキームを提供する。そのため、提案するスキームによって、セル平均およびセル端のスループットを大幅に改善することができる。特定の一実施形態では、ＬＴＥ−Ａ異種ネットワーク内のマクロＢＳからのセル固有基準信号（ＣＲＳ）によって引き起こされる干渉に、ピコＢＳおよびそれに関連するＵＥが対処するための方法が提案される。提案される１つの方法では、ピコＢＳは、それに関連するＵＥそれぞれに対してビットレベルＰＤＳＣＨミューティング・パターンを選択するが、その際、他のＢＳから生じるＣＲＳ干渉を受けるＰＤＳＣＨ  ＲＥが情報ビットを保有するのに利用する使用可能なビットはより少なくなり、残りのビットはダミーとして設定される。ＰＤＳＣＨミューティング・パターンは、ピコＵＥによって送信されるＲＲＭ（無線資源管理）レポートに含まれる干渉情報に基づく。ピコＢＳは、このＰＤＳＣＨミューティング・パターンを関連するＵＥに通信し、ＵＥはそれに対応するダミー・ビットを破棄する。別の提案される方法では、ＵＥはＲＲＭ測定を行い、干渉情報を使用して、他のＢＳから生じるＣＲＳ干渉を受けるＰＤＳＣＨ  ＲＥに対するビットレベルＰＤＳＣＨパンクチャリング・パターンを決定するが、その際、被害を受けるＰＤＳＣＨ  ＲＥから抽出した特定のビットのみが復号化に利用され、残りは破棄される。ＰＤＳＣＨパンクチャリング・モジュールは、メモリ内のＰＤＳＣＨパンクチャリング・パターンを更新する。パンクチャされたビットは、メモリに格納されたＰＤＳＣＨパンクチャリング・パターンのアクティブなＰＤＳＣＨパンクチャリング・パターンに従って、ビット列から削除される。提案される方法は、マクロＢＳからピコＵＥへの干渉を最大限低減させることができ、その結果、システム全体の性能を大幅に改善することができる。
【０００５】
本発明の１つの態様によれば、ユーザ機器にデータを転送する基地局（ＢＳ）は、ユーザ機器の周辺エリアにある１つまたは複数の他の基地局における各基地局の受信基準信号（ＲＳ）強度に対する無線資源管理（ＲＲＭ）測定をユーザ機器から受信するインターフェースと、１つまたは複数の他の基地局から、オールモースト・ブランク・サブフレームおよびそれに対応するセル固有基準信号（ＣＲＳ）資源要素（ＲＥ）ロケーションの送信情報を受信するＸ２インターフェースと、受信したオールモースト・ブランク・サブフレームおよびそれに対応するＣＲＳ  ＲＥロケーションとＲＲＭ管理レポートを介して受信した干渉情報とに基づいて、他のＢＳから生じるＣＲＳ干渉を最も受けるとともにビットレベル・ミューティングを施すべきＰＤＳＣＨ資源要素（ＲＥ）を特定し、基礎的な変調次数と同じである通常のＲＥに割り付けられるビット数よりも少ないビット数を特定されたＲＥに割り付けることを含めて、ビットレベルＰＤＳＣＨ（物理ダウンリンク共有チャネル）ミューティング情報を管理し、かつ様々なＰＤＳＣＨ  ＲＥに対する２レベルのビット割付けに関するデータをユーザ機器に転送するコントローラとを備える。２レベルのビット割付けは、基礎的な変調次数と同数のビット全ての割付け（通常）、および基礎的な変調次数よりも少ないビット数の部分的な割付け（ビットレベル・ミューティング）である。
【０００６】
いくつかの実施形態では、コントローラは、受信したオールモースト・ブランク・サブフレームおよびそれに対応するＣＲＳ  ＲＥロケーションとＲＲＭ管理レポートを介して受信した干渉情報とに基づいて、１つまたは複数の他の基地局からの強いＣＲＳ干渉を受けるＲＥを特定することで、ビットレベル・ミューティングを施すべきＲＥを特定するように構成される。インターフェースは、ビットレベルＰＤＳＣＨミューティング情報をユーザ機器に転送するように構成される。コントローラは、特定されたＲＥそれぞれに対するＫビットのビットマップに従って、通常のＲＥに割り付けられるビット数よりも少ないビット数を特定されたＲＥに割り付けるように構成される。コントローラは、特定されたＲＥそれぞれのミュートすべき１つまたは複数のビット位置を特定するＫビットのビットマップを決定するように構成され、特定されたＲＥに割り付けられるビット数は、特定されたＲＥのミュートすべきビット位置の数に等しい差分だけ、通常のＲＥに割り付けられるビット数よりも少ない。
【０００７】
特定の実施形態では、コントローラは、特定されたＲＥのビットレベル・ミューティングに関するデータをユーザ機器に転送する前に、特定されたＲＥそれぞれのミュートされたビット位置にダミー・ビットを割り当てるように構成される。コントローラは、ミュートされたビット位置にダミー・ビットを割り当てる前に、ＲＥのビットを含むビット列に対して符号化およびレート・マッチングを行うように構成される。コントローラは、ミュートされたビット位置にダミー・ビットを割り当てた後、かつ特定されたＲＥのビットレベル・ミューティングに関するデータをユーザ機器に転送する前に、ＰＤＳＣＨ  ＲＥがそれぞれ１つの変調シンボルに適応するようにして、ビット列に対して変調およびＰＤＳＣＨ資源マッピングを行うように構成される。
【０００８】
本発明の別の態様によれば、基地局からデータを受信するユーザ機器は、ユーザ機器の周辺エリアにある１つまたは複数の他の基地局における各基地局の受信基準信号（ＲＳ）強度に対するＲＲＭ測定を行う無線資源管理（ＲＲＭ）モジュールと、１つまたは複数の他の基地局からの複数の資源要素（ＲＥ）を有するオールモースト・ブランク・サブフレームおよびセル固有基準信号（ＣＲＳ）資源要素（ＲＥ）ロケーションとユーザ機器からのＲＲＭ測定とに基づいて、ビットレベル・ミューティングを施すべきＲＥを特定し、ミュートすべきでない通常のＲＥに割り付けられるビット数よりも少ないビット数を特定されたＲＥに割り付ける、ビットレベルＰＤＳＣＨ（物理ダウンリンク共有チャネル）ミューティングに関するデータを基地局から受信し、かつ特定されたＲＥのビットレベル・ミューティングに関するデータをインターフェースを介してユーザ機器に転送するインターフェースとを備える。
【０００９】
いくつかの実施形態では、ビットレベル・ミューティングを施すべき特定されたＲＥは、受信したオールモースト・ブランク・サブフレームおよびＣＲＳ  ＲＥロケーションとＲＲＭ測定とに基づいて、１つまたは複数の他の基地局からの強いＣＲＳ干渉を受けるＲＥである。インターフェースは、ビットレベル・ミューティングを施すべき特定されたＲＥと、ミュートすべきでない通常のＲＥに割り付けられるビット数よりも少ない、特定されたＲＥに対するビット数の割付けとを含むビットレベルＰＤＳＣＨミューティング情報を、基地局から受信するように構成される。ビットレベルＰＤＳＣＨミューティング情報は、通常のＲＥに割り付けられるビット数よりも少ないビット数を特定されたＲＥに割り付けるのに使用される、特定されたＲＥそれぞれに対するＫビットのビットマップを含む。Ｋビットのビットマップは、特定されたＲＥそれぞれのミュートすべき１つまたは複数のビット位置を特定し、特定されたＲＥに割り付けられるビット数は、特定されたＲＥのミュートすべきビット位置の数に等しい差分だけ、通常のＲＥに割り付けられるビット数よりも少ない。
【００１０】
特定の実施形態では、基地局からインターフェースを介してユーザ機器が受信する、特定されたＲＥのビットレベル・ミューティングに関するデータにおいて、特定されたＲＥそれぞれのミュートされたビット位置にダミー・ビットが追加される。ユーザ機器は、基地局から受信したビットレベルＰＤＳＣＨミューティング情報に基づいて、ダミー・ビットを削除するベースバンド・プロセッサを備える。受信したデータは、１つの変調シンボルにそれぞれ適応するＰＤＳＣＨ  ＲＥを含む。ベースバンド・プロセッサは、ダミー・ビットを削除する前に、受信したＰＤＳＣＨ  ＲＥを変調シンボル・ストリームにデマッピングし、変調シンボル・ストリームをビット列に復調するように構成される。ベースバンド・プロセッサは、ダミー・ビットをビット列から削除した後に、ビット列に対してレート・デマッチングおよび復号化を行うように構成される。
【００１１】
本発明の別の態様によれば、基地局からデータを受信するユーザ機器は、ユーザ機器の周辺エリアにある１つまたは複数の他の基地局における各基地局の受信基準信号（ＲＳ）強度に対するＲＲＭ測定を行う無線資源管理（ＲＲＭ）モジュールと、基地局からデータを受信し、複数の資源要素（ＲＥ）を有するオールモースト・ブランク・サブフレームおよびセル固有基準信号（ＣＲＳ）資源要素を１つまたは複数の他の基地局から受信するインターフェースと、受信したオールモースト・ブランク・サブフレームおよびそれに対応するＣＲＳ  ＲＥロケーションとＲＲＭ測定中に得られた干渉情報とに基づいて、特定されたＰＤＳＣＨ  ＲＥの一部のビットに対応する対数尤度比（ＬＬＲ）がパンクチャまたは破棄されるビットレベル・パンクチャリングを施すべきである、受信したデータ中のＰＤＳＣＨ  ＲＥを特定するビットレベルＰＤＳＣＨ（物理ダウンリンク共有チャネル）パンクチャリング・モジュールとを備える。
【００１２】
いくつかの実施形態では、ビットレベル・パンクチャリングを施すべき特定されたＲＥは、受信したオールモースト・ブランク・サブフレームおよびＣＲＳ  ＲＥロケーションとＲＲＭ測定とに基づいて、１つまたは複数の他の基地局からの強いＣＲＳ干渉を受けるＰＤＳＣＨ  ＲＥである。ビットレベルＰＤＳＣＨパンクチャリング・モジュールは、通常のＲＥに割り付けられるビット数よりも少ないビット数を特定されたＲＥに割り付けるのに使用される、特定されたＲＥそれぞれに対するＫビットのビットマップを含む、ビットレベルＰＤＳＣＨパンクチャリング情報を管理する。Ｋビットのビットマップは、特定されたＲＥそれぞれのパンクチャすべき１つまたは複数のビット位置を特定し、特定されたＲＥに割り付けられるビット数は、特定されたＲＥのパンクチャすべきビット位置の数に等しい差分だけ、通常のＲＥに割り付けられるビット数よりも少ない。ユーザ機器は、さらに、基地局から受信したデータにおいて、特定されたＲＥそれぞれのパンクチャされたビット位置でパンクチャされたビットを削除するベースバンド・プロセッサを備える。受信したデータは、１つの変調シンボルにそれぞれ適応するＰＤＳＣＨ  ＲＥを含む。ベースバンド・プロセッサは、パンクチャされたビットを削除する前に、受信したＰＤＳＣＨ  ＲＥを変調シンボル・ストリームにデマッピングし、変調シンボル・ストリームをビット列に復調するように構成される。ベースバンド・プロセッサは、パンクチャされたビットをビット列から削除した後に、ビット列に対してレート・デマッチングおよび復号化を行うように構成される。
【００１３】
一実施形態では、特定されたＲＥはすべて同数のパンクチャすべきビットを有し、ベースバンド・プロセッサは、パンクチャされた同数のビットを特定されたＲＥから削除するように構成される。別の実施形態では、特定されたＲＥは異なる数のパンクチャすべきビットを有し、ベースバンド・プロセッサは、パンクチャされた異なる数のビットを特定されたＲＥから削除するように構成される。
【００１４】
本発明のこれらおよび他の特徴と利点は、特定の実施形態の以下の詳細な説明に照らして当業者には明白となるであろう。
【発明の効果】
【００１５】
本発明によれば、干渉レベルが低減することにより、ピコＵＥは、マクロＢＳがＡＢＳを送信する際のより高いデータ転送率を達成することができる。
【図面の簡単な説明】
【００１６】
【図１】マクロ基地局、ピコ基地局、および複数のユーザ端末を含む異種ネットワークの一例を示す図である。
【図２】マクロ基地局の一例を示すブロック図である。
【図３】マクロ基地局用のオールモースト・ブランク・サブフレーム構成を有するロング・ターム・エボリューション・アドバンストフレームの一例を示す図である。
【図４】ピコ基地局の一例を示すブロック図である。
【図５】ユーザ端末の一例を示すブロック図である。
【図６】本発明の一実施形態による第１の手法におけるピコ基地局とユーザ端末との間の信号伝達の一例を示す図である。
【図７】図６のピコ基地局における動作を示す流れ図の一例を示す図である。
【図８】（ａ）マクロ基地局のオールモースト・ブランク・サブフレームおよび（ｂ）ピコ基地局のサブフレームに対するＰＤＳＣＨミューティング・パターンの一例を示す図である。
【図９】ＰＤＳＣＨミューティング・テーブルの一例を示す図である。
【図１０】本発明の一実施形態による第１の手法の下に提案されるスキームにおけるＴＸベースバンド処理を示す流れ図の一例を示す図である。
【図１１】第１の手法の下に提案されるスキームにおけるダミー・ビットの追加の一例を示す図である。
【図１２】第１の手法による図６のユーザ端末における動作を示す流れ図の一例を示す図である。
【図１３】第１の手法の下に提案されるスキームにおけるＲＸ処理を示す流れ図の一例を示す図である。
【図１４】第１の手法の下に提案されるスキームにおけるＲＸ処理の一例を示す図である。
【図１５】第２の手法による図５のユーザ端末における動作を示す流れ図の一例を示す図である。
【図１６】第２の手法の下に提案されるスキームにおけるＵＥのＲＸベースバンド処理を示す流れ図の一例を示す図である。
【図１７】第２の手法の下に提案されるスキームにおけるＲＸ処理の一例を示す図である。
【発明を実施するための形態】
【００１７】
以下の本発明の詳細な説明では添付図面を参照するが、それら添付図面は、本開示の一部を成すものであり、また本発明の実施を可能にする例示的実施形態を限定目的ではなく例証目的で示すものである。図面中、いくつかの図面を通して同様の数字は実質的に類似の構成要素を表す。さらに、詳細な説明は、以下に記載し図面に例証する様々な例示的実施形態を提供するが、本発明は本明細書に記載し例証する実施形態に限定されず、当業者には既知であるような、または当業者には既知となるであろう他の実施形態にまで及ぶ可能性があることに留意されたい。本明細書において、「一実施形態」、「この実施形態」、または「これらの実施形態」という言及は、実施形態と関連して記載される特定の特徴、構造、または特性が本発明の少なくとも１つの実施形態に含まれることを意味し、これらの語句が本明細書中の様々な場所に出現しても、必ずしもすべてが同じ実施形態を指すものとは限らない。それに加えて、以下の詳細な説明では、本発明の完全な理解を提供するために多数の特定の詳細が説明される。しかしながら、これらの特定の詳細はすべてが本発明を実施するのに必須というわけではない場合があることが当業者には明白となるであろう。他の状況では、本発明が不必要に不明瞭にならないように、周知の構造、材料、回路、プロセス、およびインターフェースについては詳細に記載しておらず、かつ／またはブロック図の形態で例証されることがある。
【００１８】
以下の記載において、水平、垂直、左側、右側、上側、および下側といった用語など、相対的な向きおよび配置に関する用語が使用される。これらの用語は、二次元レイアウトにおいて、レイアウトの所与の向きに対する相対的な方向および配置を指すことが認識されるであろう。レイアウトの別の向きに対しては、同じ物体または動作について説明するために、別の相対的な向きおよび配置に関する用語が使用されることがある。
【００１９】
さらに、以下の詳細な説明のいくつかの部分は、コンピュータ内の動作のアルゴリズムおよび記号的表現の観点で提示される。これらのアルゴリズム的記述および記号的表現は、データ処理分野の当業者が自身の技術革新の本質を他の当業者に対して最も効果的に伝えるために使用する手段である。アルゴリズムは、所望の最終状態または結果に結び付く一連の定義済みステップである。本発明では、実施されるステップは、実体的な結果を達成するために実体的な量の物理的操作を必要とする。必須ではないものの、通常、これらの量は、格納、転送、結合、比較、および別の形での操作が可能な、電気的もしくは磁気的な信号または命令の形態をとる。主に一般的用法の理由から、これらの信号をビット、値、要素、シンボル、文字、用語、数、命令などと呼ぶことが便利な場合があることが分かっている。しかしながら、これらおよび類似の用語はいずれも、適切な物理量と関連付けられるべきであり、これらの量に適用される便利なラベルに過ぎないことを念頭に置かれたい。特段の指定が別途ない限り、以下の考察から明白であるように、本明細書全体を通して、「処理」、「演算」、「計算」、「決定」、「表示」などの用語を利用した考察は、コンピュータ・システムのレジスタおよびメモリ内の物理（電子）量として表されるデータを操作・変換して、コンピュータ・システムのメモリもしくはレジスタまたは他の情報記憶装置、送信デバイス、あるいは表示デバイス内の物理量として同様に表される他のデータとする、コンピュータ・システムまたは他の情報処理デバイスの作用およびプロセスを含み得ることが認識される。
【００２０】
本発明はまた、本明細書の動作を行うための装置に関する。この装置は、求められる目的のために特別に構築されてもよく、または、１つもしくは複数のコンピュータプログラムによって選択的に起動または再構成される、１つもしくは複数の汎用コンピュータを含んでもよい。かかるコンピュータプログラムは、光ディスク、磁気ディスク、読出し専用メモリ、ランダムアクセスメモリ、固体デバイスおよびドライブ、または電子情報を格納するのに適した他の任意のタイプの媒体などであるがそれらに限定されない、コンピュータ可読記憶媒体に格納されてもよい。本明細書に提示するアルゴリズムおよび表示装置は、任意の特定のコンピュータまたは他の装置に本質的に関連しない。様々な汎用システムが、本明細書の教示によるプログラムおよびモジュールとともに使用されてもよく、または、所望の方法ステップを行うようにより専門化した装置を構築するのが便利であることが分かる場合がある。それに加えて、本発明はいずれの特定のプログラミング言語にも関連して記載されない。様々なプログラミング言語が、本明細書に記載されるような本発明の教示を実現するのに使用されてもよいことが認識されるであろう。プログラミング言語（１つもしくは複数）の命令は、１つもしくは複数の処理装置、例えば中央処理装置（ＣＰＵ）、プロセッサ、またはコントローラによって実行されてもよい。
【００２１】
本発明の例示的実施形態は、より詳細に後述するように、ＬＴＥ−Ａ異種ネットワークにおけるビットレベルＰＤＳＣＨミューティングおよび／または受信機パンクチャリングのための装置、方法、ならびにコンピュータプログラムを提供する。
【００２２】
ＬＴＥ−Ａ  Ｒｅｌ−１０のＩＣＩＣでは、ピコＵＥへの干渉を低減するため、マクロＢＳは、オールモースト・ブランク・サブフレーム（ＡＢＳ）と呼ばれる特定のサブフレームをミュートすることができる。ＡＢＳでは、ほとんどの資源要素（ＲＥ）がブランクであり、少量のＲＥのみが何らかのシステム情報（例えば、セル固有ＲＳおよび同期信号）を保有する。理想的には、ピコＵＥへの干渉を可能な限り排除するため、マクロＢＳによって構成される際はＡＢＳは完全にブランクであるべきである。しかしながら、Ｒｅｌ−１０では、旧版互換性を考慮すると、レガシーＵＥのＡＢＳサブフレームにおける一部の特定の資源要素（ＲＥ）に入れてセル固有基準信号（ＣＲＳ）を送信しなければならない。それに加えて、ＣＲＳ  ＲＥは、一般に、通常のＰＤＳＣＨ  ＲＥに比べてより高電力で送信される。かかるシナリオでは、ＡＢＳサブフレームにおけるマクロＢＳからの干渉は無視することができず、残るＣＲＳ干渉に対処するのに高度な技術が求められる。
【００２３】
異種セルラーネットワークのダウンリンクについて考察する。本開示は、ピコＵＥがＡＢＳサブフレームにおけるＣＲＳ干渉に対処するためのスキームを提案するが、それには、送信機（即ち、ピコＢＳ）および受信機（即ち、ピコＵＥ）での共同信号処理が必要とされる。
【００２４】
図１は、マクロ基地局、ピコ基地局、および複数のユーザ端末を含む異種ネットワークの一例を示す。図１では、異種セルラーネットワークは、共存してエリア内のＵＥに役立つマクロＢＳおよびピコＢＳの両方を有する。マクロＢＳからのＣＲＳ干渉によって、ＡＢＳサブフレーム内における所望の信号の信号対干渉雑音（ＳＩＮＲ）が低減されるので、ピコＢＳに関連付けられるがセル端にあるＵＥ１は、マクロＢＳがＡＢＳサブフレームを送信するように構成されていても、ピコＢＳからパケットを受信するのに失敗することがある。本発明の一実施形態に従って提案されるスキームは、ピコＢＳおよびＵＥ１でＡＢＳサブフレーム内のＣＲＳ干渉を低減するように実現することができる。
【００２５】
図２は、マクロ基地局（例えば、図１に示されるようなマクロＢＳ）の一例を示すブロック図である。マクロＢＳは、（ｉ）マクロＢＳが他のマクロＢＳおよびピコＢＳと情報（例えば、ＣＲＳ  ＲＥロケーションおよびＡＢＳパターン）を交換するのに用いられるＸ２インターフェース、（ｉｉ）ＡＢＳパターンが決定されるＡＢＳモジュール、（ｉｉｉ）ベースバンド処理を行うベースバンド・プロセッサ、ならびに（ｉｖ）ＡＢＳパターンが格納されるメモリという４つのモジュールを有する。
【００２６】
図３は、マクロ基地局のためのオールモースト・ブランク・サブフレーム（ＡＢＳ）構成を備えたロング・ターム・エボリューション・アドバンスト（ＬＴＥ−Ａ）フレームの一例を示す。マクロＢＳのためのＡＢＳ構成を備えたＬＴＥ−Ａフレーム（０〜９のインデックスを付けた１０個のサブフレームを有する）において、サブフレーム１、２、７、および８はＡＢＳとして構成され、残りのサブフレームは通常のサブフレーム（ＮＳ）として構成される。マクロＢＳはＡＢＳパターンをピコＢＳに通知する。受信したＡＢＳパターンに基づいて、ピコＢＳは、ＡＢＳサブフレーム内でそのセル端にあるＵＥ（例えば、図１に示されるようなＵＥ１）のデータ転送率を改善するようにそれらのスケジューリングを行うことができる。
【００２７】
図４は、ピコ基地局の一例を示すブロック図である。図４では、ピコＢＳ（例えば、図１に示されるようなピコＢＳ）は、ピコＢＳが隣接するマクロＢＳからＡＢＳパターンおよびＣＲＳ  ＲＥ（セル固有基準信号資源要素）ロケーションを得るのに用いられるＸ２インターフェースと、（ｉ）ビットレベルＰＤＳＣＨミューティング・パターン（図８に示されるようなもの）を決定し、メモリ内のＰＤＳＣＨミューティング・テーブル（図９に示されるテーブルに定義されるようなもの）を更新するＰＤＳＣＨミューティング・モジュール、（ｉｉ）図１０および１１に示されるようなＴＸ（送信）処理を行うベースバンド・プロセッサ、ならびに（ｉｉｉ）ＰＤＳＣＨミューティング・テーブルが格納されるメモリという３つの構成要素とを含む。
【００２８】
図５は、ユーザ端末の一例を示すブロック図である。図５では、ＵＥは、（ｉ）ＲＲＭ測定を行いピコＢＳに報告するＲＲＭ（無線資源管理）モジュール、（ｉｉ）関連するピコＢＳからビットレベルＰＤＳＣＨミューティング・パターンを受信し、メモリ内のＰＤＳＣＨミューティング・テーブルを更新するＰＤＳＣＨパンクチャリング・モジュール、（ｉｉｉ）図１３および１４に示されるようなＲＸ（受信）処理を行うベースバンド・プロセッサ、ならびに（ｉｖ）ＰＤＳＣＨミューティング・テーブルが格納されるメモリという４つの構成要素を有するコントローラを含む。
【００２９】
第１の手法：
図６は、本発明の一実施形態による第１の手法におけるピコ基地局とユーザ端末との間の信号伝達の一例を示す。図６に示される第１の手法では、信号伝達は、図１のネットワークの送信機ＴＸ（即ち、ピコＢＳ）と受信機ＲＸ（即ち、ＵＥ、より具体的にはＵＥ１）との間で交換される。データ送信の開始時に、ＵＥは、例えば、３ＧＰＰ  ＴＳ３６．３３１  ｖ．１０．４．０（ｈｔｔｐ：／／ｗｗｗ．３ｇｐｐ．ｏｒｃｉｌｆｔｐ／Ｓｐｅｃｓ／ｈｔｍｌ−ｉｎｆｏ／３６３３１．ｈｔｍ（文献１）にてオンラインで入手可能）で定義される通りにＲＲＭ測定を行い、各マクロＢＳの周辺エリアにおけるその受信ＲＳ（基準信号）強度を含む測定レポートをピコＢＳに送信する。ＲＲＭ測定レポートおよびマクロＢＳからのＣＲＳ  ＲＥ（セル固有基準信号資源要素）ロケーションの情報に基づいて、ピコＢＳは、ｉ）残りのＰＤＳＣＨ  ＲＥ（資源要素）よりも重大な影響をＣＲＳ干渉によって受けるＰＤＳＣＨ  ＲＥ、およびｉｉ）特定されたＰＤＳＣＨ  ＲＥにおいてＣＲＳ干渉によって破壊される可能性の低いビット数から成る、ビットレベルＰＤＳＣＨミューティング・パターンを特定する。その後、ピコＢＳは、ＲＸ処理のためにビットレベルＰＤＳＣＨミューティング・パターンをＵＥに送信する。ピコＢＳは、ＵＥから受信通知を受信した後に、提案されるＴＸ処理を行うことでデータ送信を開始する。ＵＥ受信機では、データ受信に合わせて適宜、提案されるＲＸ処理が行われる。
【００３０】
図７は、図６のピコ基地局における動作を示す流れ図の一例である。ピコＢＳのＸ２インターフェースモジュールは、ＡＢＳパターンおよびＣＲＳ  ＲＥロケーションの情報を隣接するマクロＢＳから受信し、かかる情報をＰＤＳＣＨミューティング・モジュールに入力する（例えば、どの程度の干渉があるか、どのＢＳ信号が受信されたか、ならびにこれらの信号がどの程度の強度かなど）。Ｘ２インターフェースモジュールの入力およびＵＥからのＲＲＭレポートに基づいて、ＰＤＳＣＨミューティング・モジュールは、ビットレベルＰＤＳＣＨミューティング・パターンを決定し、メモリ内のＰＤＳＣＨミューティング・テーブルを更新する。メモリ内のＰＤＳＣＨミューティング・テーブルは、ベースバンド・プロセッサによってＴＸ処理に使用される。図７に見られるように、ベースバンド・プロセッサは、ＰＤＳＣＨミューティング・パターンの要求を送信し、ビットレベルＰＤＳＣＨミューティング・パターンをメモリから受信する。
【００３１】
図８は、（ａ）マクロ基地局のオールモースト・ブランク・サブフレームおよび（ｂ）ピコ基地局のサブフレームに対するＰＤＳＣＨミューティング・パターンの一例を示す。これは、どのようにしてビットレベルＰＤＳＣＨミューティング・パターンを決定し、ピコＢＳのためのＰＤＳＣＨミューティング・テーブルを更新するかを示す一例として使用される。図１で与えられたような例について検討する。ＡＢＳサブフレームは、周波数ドメイン内で複数の物理資源ブロック（ＰＲＢ）に分割され、ＰＲＢ内のマクロＢＳのＣＲＳ  ＲＥは図８（ａ）で与えられるように配置されるものと仮定する。ＰＲＢはすべてＣＲＳ  ＲＥと同じロケーションを有することに留意されたい。図８（ａ）はまた、ＰＤＳＣＨ（物理ダウンリンク制御チャネル）ＲＥおよびミュートされたＰＤＳＣＨ  ＲＥを示している。マクロＢＳからのＡＢＳパターン（図３に示されるようなもの）、マクロＢＳからのＣＲＳ  ＲＥのロケーション（図８（ａ）に示されるようなもの）、およびＵＥからのＲＲＭレポート（マクロＢＳがピコＵＥに対して強い干渉を有することを示す）を受信した後に、ピコＢＳは、マクロＢＳからの強いＣＲＳ干渉を受けるＲＥを、即ち図８（ｂ）において「ＣＲＳ干渉を有するＰＤＳＣＨ  ＲＥ」としてクロスハッチングを付して示されるＲＥを特定する。強いＣＲＳ干渉を受けないＲＥは、図８（ｂ）において「ＣＲＳ干渉を有さないＰＤＳＣＨ  ＲＥ」として示される。その後、ＰＤＳＣＨミューティング・モジュールは、図８（ｂ）で特定される強いＣＲＳ干渉に基づいて、メモリ内のＰＤＳＣＨミューティング・テーブルを更新する。
【００３２】
図９は、ＰＤＳＣＨミューティング・テーブルの一例を示す。ＰＤＳＣＨミューティング・テーブルは、ＲＥミューティング・パターン・インデックス、ミュートされたＲＥ、ビットマップ、およびステータスの列を有する。「ミュートされたＲＥ」の列は事前定義され固定される。ＰＤＳＣＨミューティング・モジュールは、ビットレベルの「ミュートされたＲＥ」列が、強いＣＲＳ干渉を有する特定されたＲＥの最大数を包含するＲＥミューティング・パターンを選択し、そのステータスを「アクティブ」に設定する。１つのＲＥミューティング・パターンが「アクティブ」に選ばれた後は、他のＲＥミューティング・パターンは自動的に「アイドル」に設定されることに留意されたい。ＰＤＳＣＨ  ＲＥはそれぞれＫ個の情報ビットを保有するものと仮定する。次に、ピコＢＳは、強いＣＲＳ干渉を有する各ＲＥにおけるビットレベル・ミューティング位置を決定するが、これは、「１」がミューティングを示す、即ち特定のビットがダミー・ビットとして設定される、Ｋビットのビットマップによって表すことができる。例えば、００１１は、Ｋ＝４の場合、最後の２ビットがミュートされたＲＥのダミー・ビットとして設定されることを意味する。一方、ピコＢＳは、データ受信のため、ビットレベルＰＤＳＣＨミューティング・パターンを、即ちＰＤＳＣＨミューティング・パターン・インデックスおよびそれに対応するビットマップを、ＵＥに通知する。
【００３３】
ＰＤＳＣＨミューティング・モジュールは、実際には、データ送信が行われない特定のＲＥ全体のＲＥレベル・ミューティングの代わりに、ビットのビットレベル・ミューティングを行う、ＰＤＳＣＨビットレベル・ミューティング・モジュールである。その機能を特徴付ける別の方法は、「ミュートされたＲＥ」が、ＣＲＳ干渉の影響を受けない、または実質的に影響を受けない通常のＲＥに割り付けられるビット数よりも少ないビット数を保有できるようにすることである。ＰＤＳＣＨビットレベル・ミューティング・モジュールは、ＲＥビット割付けモジュールとも呼ばれることがある。
【００３４】
図１０は、本発明の一実施形態による第１の手法の下に提案されるスキームにおけるＴＸベースバンド処理を示す流れ図の一例である。搬送ブロックの情報ビット（例えば、Ｌ個のビット）は、最初に、例えば、３ＧＰＰ  ＴＳ３６．２１２  ｖ．１０．４．０（ｈｔｔｐ：／／ｗｗｗ．３ｑｐｐ．ｏｒｑ／ｆｔｐ／Ｓｐｅｃｓ／ｈｔｍｌ−ｉｎｆｏ／３６２１２．１１ｍ（文献２）にてオンラインで入手可能）で指定されるターボ・エンコーダ（例えば、３Ｌ＋１２ビット）を通過する。次に、ベースバンド・プロセッサは、メモリ内のＰＤＳＣＨミューティング・テーブルのアクティブなＰＤＳＣＨミューティング・パターンに従って、レート・マッチング（３Ｌ＋１２ビットよりも少ないＥ個のビット）を行い、符号化されたビットにダミー・ビットを追加する。最後に、ビット列が変調され、ＰＤＳＣＨ  ＲＥにマッピングされる。各動作の詳細について次に説明する。
【００３５】
ターボ符号化：この動作は前述の文献２で指定されている。
【００３６】
レート・マッチング：例えば、前述の文献２で定義されるサーキュラー・バッファ・レート・マッチング（ＣＢＲＭ）が使用され、レート・マッチング後のビット数がＮＫ−ＭＤとなるように構成される（Ｎは、ＵＥに割り当てられるＰＤＳＣＨ  ＲＥの数、Ｍは、ビットレベルでミュートされたＲＥの数、Ｋは、変調次数（即ち、ＰＤＳＣＨ  ＲＥがそれぞれ保有するビット数）、およびＤは、アクティブなＰＤＳＣＨミューティング・パターンのビットマップにおける「１」の数）。通常のＲＥに割り付けられるビット数は、基礎的な変調次数と同じである。
【００３７】
ダミー・ビットの追加：Ｄ個のダミー・ビットが、ＣＲＳ干渉を有するＰＤＳＣＨ ＲＥそれぞれに追加される。
【００３８】
変調：変調は、例えば前述の文献２で指定されており、Ｋは、２（ＱＰＳＫ）、４（１６ＱＡＭ）、および６（６４ＱＡＭ）からの値をとる。
【００３９】
ＰＤＳＣＨ資源マッピング：変調シンボルは、ＰＤＳＣＨ  ＲＥがそれぞれ１つの変調シンボルに適応するようにしてＰＤＳＣＨ  ＲＥにマッピングされる。
【００４０】
図１１は、第１の手法の下に提案されるスキームにおけるダミー・ビットの追加の一例を示す。これはＴＸ処理に関する。図１１に示されるように、ＰＤＳＣＨ領域にある１２個のＲＥが強いＣＲＳ干渉を受ける場合、１つの資源ブロックがＵＥに割り当てられるものと仮定する。それに加えて、１６ＱＡＭが変調に使用され、ＣＲＳ干渉を有する各ＲＥに対して２個のダミー・ビットが追加されるものと仮定する。この場合、Ｎ＝１２０、Ｍ＝１２、Ｋ＝４、およびＤ＝２という値を有する。レート・マッチング後の合計ビット数はＮＫ−ＭＤ＝４５６である。レート・マッチング後のビット列は、図１１に示されるように、００１１１１０１１１０１１０１０１１１００１１１０１１１０１１１１１０００１…であるものと仮定する。変調シンボルが、最初に水平線に沿って、次に垂直線に沿ってＰＤＳＣＨ  ＲＥにマッピングされるという仮定に基づいて、ダミー・ビットを追加した後の列は、００１１  １１００  ０１１１  ０１１０  １０００  １１１０  ０１１１  ０１１１  ０１００  １１１１  ０００１…となる。
【００４１】
図１２は、第１の手法による図６のユーザ端末における動作を示す流れ図の一例である。ＵＥは、ＲＲＭモジュールを使用してＲＲＭ測定を行い、ピコＢＳに報告する。ビットレベルＰＤＳＣＨミューティング・パターンを受信した後に、ＰＤＳＣＨパンクチャリング・モジュールは、それに対応するＰＤＳＣＨミューティング・パターンをアクティブに設定し、ビットマップを更新することによって、メモリ内のＰＤＳＣＨミューティング・テーブルを更新する。ＵＥのＰＤＳＣＨミューティング・テーブルは、ピコＢＳのものと同じフォーマットを有し、「ＰＤＳＣＨミューティング・パターン・インデックス」およびビットレベルの「ミュートされたＲＥ」の列も同じであることに留意されたい。メモリ内のＰＤＳＣＨミューティング・テーブルは、ベースバンド・プロセッサによってＲＸ処理に使用される。
【００４２】
図１３は、第１の手法の下に提案されるスキームにおけるＵＥのＲＸ処理を示す流れ図の一例である。より具体的には、提案されるスキームにおけるＵＥのＲＸベースバンド処理は、ＴＸ処理とは逆の動作である。受信したＰＤＳＣＨ  ＲＥは、変調シンボル・ストリームにデマッピングされ、それが次にビット列へと復調される。メモリに格納されたＰＤＳＣＨミューティング・テーブルのアクティブなＰＤＳＣＨミューティング・パターンに従って、ダミー・ビットがビット列から削除される。最後に、レート・デマッチングおよびターボ復号化が行われる。復調の出力は、各ビットの尤度比の対数、即ち対数尤度比（ＬＬＲ）であることに留意されたい。ダミー・ビットの削除とは、ダミー・ビットのＬＬＲを破棄することを意味する。
【００４３】
図１４は、第１の手法の下に提案されるスキームのＲＸ処理の一例を示す。図１３に示されるようなＴＸ処理がピコＢＳで行われるものと仮定する。Ｌｋは、ｋ番目のビットのＬＬＲを指すものとする。破棄されたダミー・ビットに対応するＬＬＲは、Ｌ７、Ｌ８、Ｌ１９、Ｌ２０、Ｌ３５、およびＬ３６である。第１の手法は常に、ＣＲＳ干渉を有するＰＤＳＣＨ ＲＥに同数のダミー・ビットを有することに注目することができる。ダミー・ビットを外した後のＬＬＲ列は、Ｌ１、Ｌ２、Ｌ３、Ｌ４、Ｌ５、Ｌ６、Ｌ９、Ｌ１０、Ｌ１１、Ｌ１２、Ｌ１３、Ｌ１４、Ｌ１５、Ｌ１６、Ｌ１７、Ｌ１８、Ｌ２１、Ｌ２２、Ｌ２３、Ｌ２４、Ｌ２５、Ｌ２６、Ｌ２７、Ｌ２８、Ｌ２９、Ｌ３０、Ｌ３１、Ｌ３２、Ｌ３３、Ｌ３４、Ｌ３７、Ｌ３８、Ｌ３９、Ｌ４０、Ｌ４１、Ｌ４２、Ｌ４３、Ｌ４４などである。
【００４４】
第２の手法
第２の手法は、ＵＥ端のみで実現する必要がある。この手法は、ピコＢＳでは（既存のＬＴＥ規格と同様に）ＰＤＳＣＨミューティングがないものと仮定する。図１５は、第２の手法による図５のユーザ端末における動作を示す流れ図の一例である。ＵＥは、ＲＲＭモジュールを使用してＲＲＭ測定を行い、干渉情報を使用して、他のＢＳから生じるＣＲＳ干渉を受けるＰＤＳＣＨ  ＲＥのビットレベルＰＤＳＣＨパンクチャリング・パターンを決定する。ＰＤＳＣＨパンクチャリング・モジュールは、メモリ内のＰＤＳＣＨパンクチャリング・パターンを更新する。メモリ内のＰＤＳＣＨパンクチャリング・パターンは、ベースバンド・プロセッサによってＲＸ処理に使用される。
【００４５】
図１６は、第２の手法の下に提案されるスキームにおけるＵＥのＲＸベースバンド処理を示す流れ図の一例である。受信したＰＤＳＣＨ ＲＥは、変調シンボル・ストリームにデマッピングされ、それが次にビット列へと復調される。メモリに格納されたＰＤＳＣＨパンクチャリング・パターンのアクティブなＰＤＳＣＨパンクチャリング・パターンに従って、パンクチャされたビットがビット列から削除される。最後に、レート・デマッチングおよびターボ復号化が行われる。復調の出力は、各ビットの尤度比の対数（ＬＬＲ）であることに留意されたい。パンクチャされたビットの削除とは、パンクチャされたビットのＬＬＲを破棄することを意味する。
【００４６】
図１７は、第２の手法の下に提案されるスキームにおけるＲＸ処理の一例を示す。図１７では、第２の手法を使用したＲＸ処理の一例を提供する。Ｌｋは、ｋ番目のビットのＬＬＲを指す。ＣＲＳ干渉を有するＰＤＳＣＨ  ＲＥの「等しい」数のビットを破棄する第１の手法とは異なり、第２の手法は、ＣＲＳ干渉を有する様々なＰＤＳＣＨ  ＲＥから等しい数または等しくない数のビットを破棄することができる、ＰＤＳＣＨパンクチャリング・パターンを使用する。図１７に示される例では、（１，５）の位置にあるＰＤＳＣＨ  ＲＥから２ビットが破棄され、（１，８）の位置にあるＰＤＳＣＨ  ＲＥから３ビットが破棄され、（１，１２）の位置にあるＰＤＳＣＨ  ＲＥから１ビットが破棄される。パンクチャされたビットのＬＬＲは、Ｌ７、Ｌ８、Ｌ１８、Ｌ１９、Ｌ２０、およびＬ３６である。ターボデコーダに供給されるＬＬＲ列は、Ｌ１、Ｌ２、Ｌ３、Ｌ４、Ｌ５、Ｌ６、Ｌ９、Ｌ１０、Ｌ１１、Ｌ１２、Ｌ１３、Ｌ１４、Ｌ１５、Ｌ１６、Ｌ１７、Ｌ２１、Ｌ２２、Ｌ２３、Ｌ２４、Ｌ２５、Ｌ２６、Ｌ２７、Ｌ２８、Ｌ２９、Ｌ３０、Ｌ３１、Ｌ３２、Ｌ３３、Ｌ３４、Ｌ３５、Ｌ３７、Ｌ３８、Ｌ３９、Ｌ４０、Ｌ４１、Ｌ４２、Ｌ４３、Ｌ４４などである。
【００４７】
上記は、ＡＢＳサブフレームにおけるマクロＢＳからピコＵＥへのＣＲＳ干渉を低減する２つの手法について記載している。これらの手法は、ＬＴＥ−Ａ異種ネットワークを発展させて、マクロとピコＵＥの間の達成可能なスループットを均衡させるとともに、システム全体の性能を改善するのに使用することができる。
【００４８】
本発明を実現するコンピュータおよび記憶装置システムは、また、上述の本発明を実現するのに使用されるモジュール、プログラム、およびデータ構造を格納し読み出すことができる、既知の入出力デバイス（例えば、ＣＤおよびＤＶＤドライブ、フロッピー(登録商標)ディスクドライブ、ハードドライブなど）を有することができる。これらのモジュール、プログラム、およびデータ構造は、かかるコンピュータ可読媒体上で符号化することができる。例えば、本発明のデータ構造は、本発明に使用されるプログラムが常駐する１つまたは複数のコンピュータ可読媒体とは独立して、コンピュータ可読媒体に格納することができる。システムの構成要素は、デジタルデータ通信の任意の形態または媒体、例えば通信ネットワークによって、相互接続することができる。通信ネットワークの例としては、ローカルエリアネットワーク、広域ネットワーク、例えばインターネット、ワイヤレスネットワーク、記憶領域ネットワークなどが挙げられる。
【００４９】
本明細書において、本発明の完全な理解を提供するため、説明を目的として多数の詳細が説明されている。しかしながら、本発明を実施するためにこれら特定の詳細すべてが必要なわけではないことが、当業者には明白となるであろう。また、本発明は、通常はフローチャート、流れ図、構造図、またはブロック図として描写される、プロセスとして記載されることがあることに留意されたい。フローチャートは動作を逐次プロセスとして記載することがあるが、動作の多くは並行してまたは同時に行うことができる。それに加えて、動作の順序は再編成されることがある。
【００５０】
当該分野では既知であるように、上述した動作は、ハードウェア、ソフトウェア、またはソフトウェアとハードウェアの何らかの組み合わせによって行うことができる。本発明の実施形態の様々な態様は、回路および論理デバイス（ハードウェア）を使用して実現されてもよく、他の態様は、プロセッサによって実行した場合にプロセッサに本発明の実施形態を実施するための方法を行わせる、機械可読媒体（ソフトウェア）に格納された命令を使用して実現されてもよい。さらに、本発明のいくつかの実施形態はハードウェアのみで行われてもよく、他の実施形態はソフトウェアのみで行われてもよい。さらに、記載した様々な機能は、単一ユニットで行うことができ、または任意の数のやり方で多数の構成要素にわたって拡張することができる。ソフトウェアによって行った場合、方法は、コンピュータ可読媒体に格納された命令に基づいて、汎用コンピュータなどのプロセッサによって実行されてもよい。所望であれば、命令は、圧縮フォーマットおよび／または暗号化フォーマットで媒体に格納することができる。
【００５１】
上記のことから、本発明は、ＬＴＥ−Ａ異種ネットワークにおけるビットレベルＰＤＳＣＨミューティングおよび／または受信機パンクチャリングのための方法、装置、ならびにコンピュータ可読媒体に格納されるプログラムを提供することが明白になるであろう。それに加えて、特定の実施形態について本明細書に例証し記載してきたが、当業者であれば、同じ目的を達成するものと予測される任意の取決めが、開示した特定の実施形態と置き換えられてもよいことを認識する。本開示は本発明のあらゆる改造または変形を網羅するものとし、また、以下の請求項に使用される用語は、本発明を本明細書に開示した特定の実施形態に限定するものと解釈すべきでないことを理解されたい。より正確に言えば、本発明の範囲は全面的に以下の請求項によって決定されるべきものであり、請求項は、請求項の解釈の確立された原則、ならびにかかる請求項が付与する等価物の全範囲に従って解釈すべきものである。
【図１】
2013255230.tif 000003
【図２】
2013255230.tif 000004
【図３】
2013255230.tif 000005
【図４】
2013255230.tif 000006
【図５】
2013255230.tif 000007
【図６】
2013255230.tif 000008
【図７】
2013255230.tif 000009
【図８】
2013255230.tif 000010
【図９】
2013255230.tif 000011
【図１０】
2013255230.tif 000012
【図１１】
2013255230.tif 000013
【図１２】
2013255230.tif 000014
【図１３】
2013255230.tif 000015
【図１４】
2013255230.tif 000016
【図１５】
2013255230.tif 000017
【図１６】
2013255230.tif 000018
【図１７】
2013255230.tif 000019